(57)【要約】【課題】別素材の緩衝材または外部組立の別部品を組み込むことなく、同一材料の部品内に設けた構造形状を組み合わせることにより、輸送時における振動、落下、衝撃、摩擦などの外部ストレスを吸収し、製品が変形することを抑制した梱包部材を提供する。【解決手段】略直方体形状の被梱包体を覆うように構成される梱包部材であって、最上縁部を被梱包体との隙間方向に折り曲げた折り曲げ部と、折り曲げ部の上縁部に形成した複数の凹み部と、を備え、被梱包体の側部各面を覆うように構成した側面梱包部材と、被梱包体の天面を覆うように構成した略箱形状の梱包部材であって、略箱形状の外側に向かって折り返して構成した折り返しフラップと、側面梱包部材とともに被梱包体を覆う際に、複数の凹み部と係合させる突起部と、を備えた、天面梱包部材と、を有する貯湯式給湯機用梱包部材。【選択図】  図８
2014156265.tif 000002
【特許請求の範囲】
【請求項１】
略直方体形状の被梱包体を覆うように構成される梱包部材であって、最上縁部を被梱包体との隙間方向に折り曲げた折り曲げ部と、前記折り曲げ部の上縁部に形成した複数の凹み部と、を備え、前記被梱包体の側部各面を覆うように構成した側面梱包部材と、
前記被梱包体の天面を覆うように構成した略箱形状の梱包部材であって、前記略箱形状の外側に向かって折り返して構成した折り返しフラップと、前記側面梱包部材とともに前記被梱包体を覆う際に、前記複数の凹み部と係合させる突起部と、を備えた、天面梱包部材と、
を有することを特徴とする貯湯式給湯機用梱包部材。
【請求項２】
前記天面梱包部材は、前記被梱包体の天面を覆う面となる閉塞部を、一般的な地獄底タイプまたはワンタッチ底タイプの箱底形状で構成したことを特徴とする、請求項１に記載の貯湯式給湯機用梱包部材。
【請求項３】
前記天面梱包部材の前記折り返しフラップに、
前記側面梱包部材の前記折り曲げ部に係止する係止部を備えたことを特徴とする請求項１または２に記載の貯湯式給湯機用梱包部材。
【請求項４】
前記被梱包体を梱包した梱包状態において、上下方向における前記天面梱包部材の高さを、前記側面梱包部材の前記上縁部の高さが超えないように構成した、請求項１乃至３に記載の貯湯式給湯機用梱包部材。
【請求項５】
前記被梱包体を梱包した梱包状態において、上下方向における前記天面梱包部材の高さを、前記側面梱包部材の前記上縁部の高さ未満に構成するとともに、
前記側面梱包部材の前記上縁部の４辺で構成される上部枠内に、別の梱包状態での貯湯式給湯機の底面梱包部材を挿入可能に構成した、請求項１乃至３に記載の貯湯式給湯機用梱包部材。
【発明の詳細な説明】
【技術分野】
【０００１】
本発明は、貯湯式給湯機の梱包部材に関するものである。
【背景技術】
【０００２】
特許文献１は、製品の側面と天面との交わり部近傍に配置される梱包装置用支持部材であって、製品の梱包時に製品の側面と側面カバーとの間の隙間を維持するように製品の側面の上部と側面カバーの上部との間に配置される外板部、外板部に連結して形成され、製品の梱包時に外板部から側面カバーの上方を通過して側面カバー上部を覆った天カバーの縁部に向かって水平方向に突出する突出部とを有し、突出部は製品の梱包時に側面カバーの上部に形成された切込み部に嵌め込まれるものである。
【先行技術文献】
【特許文献】
【０００３】
【特許文献１】特開２０１２−８６８６８号公報
【発明の概要】
【発明が解決しようとする課題】
【０００４】
貯湯式給湯機の貯湯タンクユニットは、略直方体の形状を成しており、その内部の構造部品の性質上、重量物であり、その重心は中央に限定されない。従って、輸送時の荷扱いに困難を極め、タンク容量の大きい機種などは梱包状態で高さ２ｍほどにあるものもあり、荷扱いは１人では不可能な場合もあり得る。また、輸送時の混載によるその他積載物による製品への傷付きや輸送時の振動、荷扱い時の多少の段差からの落下などから内部の製品を保護しなければならない。そうした理由から、製品梱包ラインにおいても、梱包材構成部品点数も多くなってしまうのが実状である。
【０００５】
また、発泡スチロールは嵩張り、廃棄が困難であるという環境問題があるが、その衝撃吸収性から未だに適用されている箇所もある。製品が落下した場合の衝撃を緩衝させるための緩衝材や、直方体の梱包形態をより強固なものとするために、製品上部を覆うための緩衝構造を含んだ梱包部材においても段ボール部品化が進んでいるが、夫々の部品を前段階で組立て、クッション材としての形状に仕上げる工程が発生し、この組立費が部品コストを引き上げる要因の一つになるという問題があった。
【０００６】
本発明は、上記のような課題を解決するためになされたもので、製品を保護するための梱包部材および構造であって、別素材の緩衝材および同素材であっても事前に組み立てた緩衝部材もしくは、緩衝構造を含む梱包部材を使用することなく、輸送時における振動、落下、衝撃、摩擦などの外部ストレスを吸収し、製品が変形することを抑制した梱包部材を提供することを目的とする。
【課題を解決するための手段】
【０００７】
略直方体形状の被梱包体を覆うように構成される梱包部材であって、最上縁部を被梱包体との隙間方向に折り曲げた折り曲げ部と、折り曲げ部の上縁部に形成した複数の凹み部と、を備え、被梱包体の側部各面を覆うように構成した側面梱包部材と、被梱包体の天面を覆うように構成した略箱形状の梱包部材であって、略箱形状の外側に向かって折り返して構成した折り返しフラップと、側面梱包部材とともに被梱包体を覆う際に、複数の凹み部と係合させる突起部と、を備えた、天面梱包部材と、を有するものである。
【発明の効果】
【０００８】
本発明によれば、別素材の緩衝材および同素材であっても事前に組み立てた緩衝部材もしくは、緩衝構造を含む梱包部材を使用することなく、輸送時における振動、落下、衝撃、摩擦などの外部ストレスを吸収し、製品が変形することを抑制した梱包部材を提供することができる。
【図面の簡単な説明】
【０００９】
【図１】本発明の実施の形態１を示す梱包部材の部品構成を表した分解図である。
【図２】図１に示す梱包部材の構成部品である側部梱包部材の詳細図である。
【図３】図２に示す側部梱包部材の構成部材の展開図である。
【図４】図２に示す側部梱包部材の断面詳細図（Ａ）、（Ｂ）である。
【図５】図１に示す梱包部材の構成部品である上部梱包部材の詳細図である。
【図６】図５に示す上部梱包部材の展開図の一例（Ａ）、（Ｂ）である。
【図７】図５に示す上部梱包部材の断面詳細図（Ａ）、（Ｂ）、（Ｃ）である。
【図８】本発明の実施の形態１を示す上部の梱包部材取り付け状態を示す図である。
【図９】図８に示す組み付け状態での断面詳細図（Ａ）、（Ｂ）である。
【図１０】図８に示す組み付け状態での側部梱包部材と上部梱包部材の高さ関係を示した図である。
【図１１】図８に示す組み付け状態での側部梱包部材と上部梱包部材の高さ関係を示した図である。
【発明を実施するための形態】
【００１０】
実施の形態１．
図１は、本発明の実施の形態１を示す貯湯式給湯機１００の貯湯タンクユニット１０に対しての各梱包部材の部品構成位置を判り易く示した分解図であり、前面および右側面を示している。
【００１１】
梱包部材は、木製の下部木枠２０、貯湯タンクユニット１０の脚部の凹みを支える目的で下部の４隅に配置された段ボール製の下部クッション３０、および、側部梱包部材４０、上部梱包部材５０の４つの部品で構成されており、貯湯タンクユニット１０は下部木枠２０にボルトとナットで係止されている。本発明は、図１に示される側部梱包部材４０および上部梱包部材５０に係るものである。
【００１２】
図２は、本発明に係る側部梱包部材４０の詳細図であり、前面および右側面を示している。側部梱包部材４０は、貯湯タンクユニット１０の前後左右の４側面を保護するために設けられた梱包部材であり、材質を段ボール製とし、前左側部梱包部材４０ａと後右側部梱包部材４０ｂの２つの同一外形寸法のパーツを組み合わせて構成されている。図３は、前左側部梱包部材４０ａおよび後右側部梱包部材４０ｂの展開図を示しており、鉛直方向の一点鎖線部２箇所を９０度の山に折り、２つのパーツを鉛直方向の断面が矩形となるよう組合せ、前面側と右側面側の角部、およびその対角に位置する後面側と左側面側の角部に各々設けられたステープルしろ４０ｃを重ねしろとして、鉛直方向に沿って一定間隔に複数のステープルを打つことで固定し完成形状とされる。
【００１３】
次に、側部梱包部材４０の構成部品である前左側部梱包部材４０ａおよび後右部梱包部材４０ｂは本発明の実施の形態において同様の構造を備えているため、前左側部梱部材４０ａについてのみ説明し、後右側部梱包部材４０ｂについては省略する。前左側部梱包部材４０ａの最上部には、梱包組付け時に前面側となる面に前後折込部４０ｄが、梱包組付け時に左側面側となる面には左右折込部４０ｅが設けられており、その形成方法は図３の展開図の上部に示される水平方向の一点鎖線で表した箇所を山折りすることにより形成される。その折込寸法は、被梱包体に側部梱包部材４０を被せた際に同折込部を被梱包体側に倒した際、折込部の端面が被梱包体に近接するが接触しない程度が望ましい。
【００１４】
また、前述で形成された前後折込部４０ｄおよび左右折込部４０ｅの折り込んだ状態における登頂部には夫々、前後凹部４０ｆと左右凹部４０ｇを複数箇所設けている。その形成方法は、図３の展開図の上部に示される水平方向の一点鎖線で表される山折り線を中心に前後折込部４０ｄと梱包組付け時に前面側となる面にまたがって角穴を開けて形成されたものが前後凹部４０ｆであり、その詳細は図４（Ａ）の、図２のＡ部断面詳細図で表しており、左右折込部４０ｅと梱包組付け時に左側面側となる面とにまたがって角穴を開けて形成されたものが左右凹部４０ｇであり、その詳細は図４（Ｂ）の、図２のＢ部断面詳細図で表している。
【００１５】
そうして形成された、前後凹部４０ｆと左右凹部４０ｇに後述の上部梱包部材５０に設けられた凸部が係止される仕組みになっている。
【００１６】
なお、前述では、側部梱包部材４０の貯湯タンクユニット１０への梱包取付状態において説明を記載したが、側部梱包部材４０は梱包部材として部品納入時の形状は平たく畳まれた状態であり、その際、前後折込部４０ｄおよび左右折込部４０ｅは折り込まれていない状態である。そのため、嵩張ることなく、梱包部材としての保管スペースも取らず、輸送効率も良い。そして、梱包部材装着の際には、畳まれていた側部梱包部材４０を角筒状に開き、貯湯タンクユニット１０へ被せるものとする。
【００１７】
次に、本発明に係る、もう一つの梱包部材である上部梱包部材５０について説明する。図５は、上部梱包部材５０の詳細図であり、天面および前面と右側面を示している。上部梱包部材５０は、貯湯タンクユニット１０の天面を覆うように構成した梱包部材であって、梱包完成体としての上部外周部の緩衝および製品の保護も兼ねている。前述の側部梱包部材４０と合体させることで、より強固な梱包体を完成させるものとする。
【００１８】
その形状のうち、主となる貯湯タンクユニット１０の天面を覆う部分は、一般的ないわゆる地獄底タイプの箱形状であり、その４側面は前後の２面を前後側面部５０ａとし、左右の２面を左右側面部５０ｂとして構成している。上部の開口部に相当する地獄底の部分が被梱包体の天面を覆うよう通常の箱を逆さに被せた状態により被梱包体に組付けるものである。図６（Ａ）は上部梱包部材５０の側面部を形成する前後側面部５０ａと左右側面部５０ｂおよび天面の地獄底部にあたる天面組込部５０ｃの部分を展開図で示したものである。なお、この天面を保護する部分の地獄底形状は、図６（Ｂ）に示すような、天面組込部５０ｃの一部を予め接着剤で貼り付けておくタイプのいわゆる一般的なワンタッチ底形式でも可とする。
【００１９】
被梱包体の天面部を保護するための梱包部材である上部梱包部材５０における天面組込部５０ｃにこの一般的な箱の閉塞構造を流用したのは、梱包部材として、保管、輸送時にはコンパクトに畳めるため、省スペース化が図れ、梱包装着の際には、殆ど手間を要することなく、畳まれた状態からそれを開く動作のみで箱形状に組み立てる事が可能であるためである。
【００２０】
さらに、上部梱包部材５０には、箱形状の４側面の下部開口側から外側に向かって、折り返したフラップ構造が設けられている。それらは、図５において、前後側面部５０ａの２つの面の中央部からは、前後折り返し中央部５０ｄが、同面の両端部からは前後折り返し両端部５０ｅが、左右側面部５０ｂの２つの面からは、左右折り返し部５０ｆが示されている。
【００２１】
そして、前述のフラップ構造の前後折り返し両端部５０ｅの先端部には、前後凸部５０ｇが、左右折り返し部５０ｆの先端部には左右凸部５０ｈの突起構造が複数箇所設けられており、この突起部を前述の側部梱包部材４０に設けられた前後凹部４０ｆと左右凹部４０ｇの凹み部に合致させることにより、梱包体上部に加わる衝撃力を吸収し、緩衝機能を担保させることが可能となる。
【００２２】
なお、図７（Ａ）は、図５における前後折り返し中央部５０ｄ部のＣ部断面詳細を、図７（Ｂ）は、図５における前後折り返し両端部５０ｅおよび前後凸部５０ｇ部のＤ部断面詳細を、図７（Ｃ）は、図５における左右折り返し部５０ｆおよび左右凸部５０ｈのＥ部断面詳細を表しているが、いずれも、梱包組付け状態での位置を示している。なお、前述の側部梱包部材４０と同様に本発明の実施の形態において前面部および左側面部に対して、後面部および右側面部も同様の構造を備えているため、断面形状も同様であることを付記しておく。
【００２３】
次に、図８は、側部梱包部材４０と上部梱包部材５０の組み付け状態を明確に示すために、２つの梱包部材の結合状態を表している。まず、貯湯タンクユニット１０の外周を囲う様に被せた側部梱包部材４０の最上縁部の前後折込部４０ｄの２辺と左右折込部４０ｅの２辺を貯湯タンクユニット１０側に折り込む。この時、側部梱包材４０の前後折込部４０ｄと左右折込部４０ｅ必ずしも鋭角になるまで折り込む必要はなく、軽く内側に折れ曲がっている程度で良い。
【００２４】
次に、折り畳まれている上部梱包部材５０の天面組込部５０ｃを一般的な地獄底もしくは、ワンタッチ底の箱を組み立てる要領で組み立てた後、前後側面部５０ａと左右側面部５０ｂにより形成される４面の内側が貯湯タンクユニット１０の最上部を覆うように沿わせ、側部梱包部材４０との間に作られた四角形の溝に落としこむ。その際に、側部梱包部材４０の前後凹部４０ｆと上部梱包部材５０の前後凸部５０ｇおよび、側部梱包部材４０の左右凹部４０ｇと上部梱包部材５０の左右凸部５０ｈが合致するようにはめ込む。
【００２５】
ここで、貯湯タンクユニット１０は下部木枠２０にボルトとナットにより確実に係止されており、上部梱包部材５０はその貯湯タンクユニット１０の上部に沿わせて被せているため、上部梱包部材５０の動きは固定され、一方、側部梱包部材４０の下部は前述の下部木枠２０に、嵌め込まれているため、下部の動きは固定されるが、上部の動きについては、各側面からの荷重の程度により、多少は考慮しなければならない。そこで、２つの梱包部材の前後に複数箇所設けられた凹凸部が合致することにより、側部梱包体４０の上部が左右に振れる動きを抑制し、左右に複数箇所設けられた凹凸部が合致することにより、側部梱包体４０の上部が前後に振れる動きを抑制することが可能となる。これにより、梱包体上部における前後方向および左右方向の衝撃吸収力を担保させることが可能となり、また、上部隙間部全周における緩衝機能の均衡を保つのに効果的であるため、クッション性を維持しながら、より強固な梱包体を形成する上で、効果が得られる。
【００２６】
この時、図９（Ａ）の、図８におけるＦ部断面詳細で示す様に、上部梱包部材５０を溝に押し込んだことにより、先に折り込まれた側部梱包材４０の前後折込部４０ｄおよび左右折込部４０ｅが曲げを元に戻そうと被梱包側に向かって力が働くのに対し、同時に、上部梱包部材５０の前後折り返し両端部５０ｅおよび左右折り返し部５０ｆが曲げを元に戻そうと被梱包体側から外側に向かって力が働く。それらの相反する方向に働く力を溝部全周に働かせることで、被梱包体上部全周の衝撃吸収のためのクッション性を確保している。
【００２７】
さらに、前述した力の働き方によると、溝に押し込んだ上部梱包部材５０が反動により溝から持ち上がってしまうことが懸念されるが、それを防止するのが、前後折り返し中央部５０ｄである。図９（Ｂ）の、図８におけるＧ部断面詳細で示す様に、前後折り返し中央部５０ｄが押し込んだ際の反動で曲げ部が元に戻る力により、側部梱包部材４０の前後折込部４０ｄ内側へ挟み込まれ、前後の２箇所において係止される。これが、上部梱包部材５０をはめ込んだ後の位置ズレや、その後各梱包材を固定するためのＰＰバンド掛けを行うまでの浮きや、外れを防止する仮止めの役目を果たしている。そして、押し込む際の反動力を生み出しているのが、上部梱包材５０の天面組込部の地獄底もしくはワンタッチ底形式の底形状によるものである。
【００２８】
そして、図８に示されるように、最後に梱包形態を完成させるために掛けるＰＰバンド８０においても、側部梱包部材４０の左右凹部４０ｇと上部梱包部材５０の左右凸部５０ｈが合致して、窪みを形成した箇所に掛けることにより、その後の荷扱いなどによりＰＰバンド８０が緩んだことによる位置ずれや外れを防止する役目も果たしている。
【００２９】
以上のように、被梱包体である貯湯タンクユニット１０とその外周を覆うように配置した側部梱包部材４０の最上部に生じた隙間を、側部梱包部材４０の上縁部内周に設けた構造と、前述の隙間に落とし込むよう形成した、上部梱包部材５０の外周縁部に設けた構造を合体させることにより、発泡スチロール製クッション等の異素材の梱包部材を介することなく、また、同素材においても独立した緩衝部品や、事前組立が必要となる緩衝構造を持った梱包部材を使用することなく、内部の製品を保護することが可能となり、複合的に無駄を省いた梱包状態を完成させることができる。
【００３０】
なお、図８に示す要領で、被梱包体を梱包した梱包状態において、側部梱包部材４０と上部梱包部材５０の上下方向における高さ関係は、図１０で示される様に、上部梱包部材５０の天面組込部５０ｃの高さを、側部梱包部材４０の前後折込部４０ｄおよび左右折込部４０ｅで構成する最上縁部の高さが、超えないように構成している。これは、被梱包体である貯湯タンクユニット１０は、倉庫保管時等の際に２段積みを許容しているが、重量物であるため、上積みされる製品の荷重を段ボール製である側部梱包部材４０で直に受け止めることは困難であり、直接荷重が加わった場合、その上縁部が潰されてしまうことが懸念される。本来、２段積みの荷重は筐体の強度により保持されていることから、この構成を採用することにより、側部梱包材４０に直接、上積みした製品の荷重がかからないようになるため、側部梱包部材４０の上縁部を保護する効果が得られる。
【００３１】
また一方で、上積みした成員の位置ズレや脱落を防止するために、図８に示す要領で、被梱包体を梱包した梱包状態において、側部梱包部材４０と上部梱包部材５０の上下方向における高さ関係は、図１１で示される様に、上部梱包部材５０の天面組込部５０ｃ高さを、側部梱包部材４０の前後折込部４０ｄおよび左右折込部４０ｅで構成する最上縁部の高さ未満に構成し、かつ、上部梱包部材５０と、下部木枠２０とが当接するようにして上部の製品の荷重を下部の製品で直接受けるようにしてもよい。即ちこれは、側部梱包部材４０の上縁部４辺で構成される上部の枠内に、２段積みの際に上段に載せられる梱包状態での貯湯タンクユニット１０の底面梱包部材である下部木枠２０の挿入が可能となる様に構成している。この場合、側面梱包部材４０の上縁部４辺が上段となる製品の下部木枠２０に対しガイドの役割を果たし、倉庫等において製品を２段積みした際に、上段の製品が脱落したり、位置ズレしたりしにくくなるという効果を奏する。
【符号の説明】
【００３２】
１０：貯湯タンクユニット、２０：下部木枠、３０：下部クッション、
４０：側部梱包部材、４０ａ：前左側部梱包部材、４０ｂ：後右側部梱包部材、
４０ｃ：ステープルしろ、４０ｄ：前後折込部、４０ｅ：左右折込部、
４０ｆ：前後凹部、４０ｇ：左右凹部、５０：上部梱包部材、５０ａ：前後側面部、
５０ｂ：左右側面部、５０ｃ：天面組込部、  ５０ｄ：前後折り返し中央部、
５０ｅ：前後折り返し両端部、５０ｆ：左右折り返し部、  ５０ｇ：前後凸部、
５０ｈ：左右凸部、８０：ＰＰバンド、１００：貯湯式給湯機
【図１】
2014156265.tif 000003
【図２】
2014156265.tif 000004
【図３】
2014156265.tif 000005
【図４】
2014156265.tif 000006
【図５】
2014156265.tif 000007
【図６】
2014156265.tif 000008
【図７】
2014156265.tif 000009
【図８】
2014156265.tif 000010
【図９】
2014156265.tif 000011
【図１０】
2014156265.tif 000012
【図１１】
2014156265.tif 000013